(57)【要約】【課題】負荷の動作を所定時間後に自動的に制御することのできる壁スイッチおよびこの壁スイッチを具備する照明制御システムを提供する。【解決手段】壁スイッチ１は、負荷１３を制御する制御データおよび時間データを有する制御設定データのワイヤレス信号を受信する受信部３と、制御設定データを記憶する記憶部４と、制御設定データの時間データに応じて所定の時間を計時する計時部５と、計時部５が所定の時間の計時を完了したときに制御設定データの制御データに応じた負荷１３への制御信号を出力できるように構成された制御部６と、制御部６から出力された制御信号に応じて負荷１３の作動を制御する電源供給回路部７とを具備する。【選択図】図１
2006066239.tif 000002
【特許請求の範囲】
【請求項１】
手動操作に応じた制御信号を出力する操作部と；
負荷を制御する制御データおよびこの制御データに応じた制御を行うタイミングを決定する時間データを含む制御設定データのワイヤレス信号を受信する受信部と；
受信部が受信した制御設定データを記憶する記憶部と；
記憶部に記憶された制御設定データの時間データに応じて所定の時間を計時する計時部と；
操作部が出力した負荷への制御信号を出力でき、また計時部が所定の時間の計時を完了したときに記憶部に記憶されている制御設定データの制御データに応じた負荷への制御信号を出力できるように構成された制御部と；
制御部から出力された制御信号に応じて負荷の作動を制御する電源供給回路部と；
を具備していることを特徴とする壁スイッチ。
【請求項２】
さらに、外部からの出力要求に応じて、記憶部に記憶されている制御設定データをワイヤレス送信する送信部と；
を具備していることを特徴とする請求項１記載の壁スイッチ。
【請求項３】
操作部が手動操作に応じた制御信号を出力したときに、受信部が受信した制御設定データを有効または無効にすることが任意に設定可能であることを特徴とする請求項１または２記載の壁スイッチ。
【請求項４】
請求項１ないし３いずれか一記載の壁スイッチと；
壁スイッチの受信部に向けて制御設定データをワイヤレス信号にて送信するワイヤレス送信器と；
壁スイッチにより電源が供給される照明負荷と；
を具備していることを特徴とする照明制御システム。
【発明の詳細な説明】
【技術分野】
【０００１】
本発明は、タイマー手段を有する壁スイッチおよびこの壁スイッチを具備する照明制御システムに関する。
【背景技術】
【０００２】
照明器具にリモコン送信器から送信されるワイヤレス信号を受信する受信部を設け、ワイヤレス信号により照明器具を点消灯させることが行われている。この照明器具は、一般に、例えば壁スイッチがオンされ、電源が供給されている状態でリモコン送信器の操作により点消灯される。したがって、壁スイッチがオフされていると、リモコン送信器の操作により照明器具を点灯させることはできない。そこで、リモコン送信器から照明器具を点灯させるワイヤレス信号を出力したときに、当該ワイヤレス信号でオンするように構成した壁スイッチが提案されている（例えば、特許文献１参照。）。
【０００３】
また、ワイヤレス信号に応じて所定時間後にオフする中間接続器を既設のコンセントと照明器具の間に配設した照明装置が提案されている（例えば、特許文献２参照。）。すなわち、中間接続器にはタイマーが設けられ、点灯中の照明器具をリモコン送信器の操作により所定時間後に自動的に消灯させることができる。
【０００４】
また、自動的に照明器具を点消灯できるものとして、既設のスイッチボックス内にスイッチ付きタイマーを設け、照明器具の点消灯をスイッチにより即時にまたはタイマーにより所定時間後に行えるようにした照明用タイマー装置が提案されている（例えば、特許文献３参照。）。
【特許文献１】特開平１１−２５８２２号公報（第３頁、第２図）
【特許文献２】特開平２００３−２１７８７２号公報（第２頁、第１図）
【特許文献３】特開平１０−１４４４８０号公報（第２頁、第２図）
【発明の開示】
【発明が解決しようとする課題】
【０００５】
特許文献１は、タイマー手段を具備していないので、照明器具を点消灯させるのに、その都度、リモコン送信器の場所に移動してリモコン送信器を手動操作しなければならないという欠点を有する。また、外出時や就寝時などにおいて、照明器具の消し忘れがあると、照明器具の点灯が継続され、消費電力が無駄になるという欠点を有する。
【０００６】
特許文献２は、照明器具を所定時間後に自動的に消灯させることができるものであり、リモコン送信器の操作により照明器具を消灯から点灯させることはできず、また、壁スイッチをオンしないと照明器具を点灯することができないという問題がある。
【０００７】
特許文献３は、照明用タイマー装置の場所に移動して、スイッチ操作またはタイマー設定を行うので、特にタイマー設定の場合、照明器具を点消灯させることが煩わしいという欠点を有する。
【０００８】
本発明は、負荷の動作を所定時間後に自動的に制御することのできる壁スイッチおよびこの壁スイッチを具備する照明制御システムを提供することを目的とする。
【課題を解決するための手段】
【０００９】
請求項１に記載の壁スイッチの発明は、手動操作に応じた制御信号を出力する操作部と；負荷を制御する制御データおよびこの制御データに応じた制御を行うタイミングを決定する時間データを含む制御設定データのワイヤレス信号を受信する受信部と；受信部が受信した制御設定データを記憶する記憶部と；記憶部に記憶された制御設定データの時間データに応じて所定の時間を計時する計時部と；操作部が出力した負荷への制御信号を出力でき、また計時部が所定の時間の計時を完了したときに記憶部に記憶されている制御設定データの制御データに応じた負荷への制御信号を出力できるように構成された制御部と；制御部から出力された制御信号に応じて負荷の作動を制御する電源供給回路部と；を具備していることを特徴とする。
【００１０】
本発明および以下の各発明において、特に言及しない限り、各構成は以下による。
【００１１】
負荷は、照明負荷、ヒータなどの伝熱線、冷暖房機、換気扇や送風機など、電力を消費するものであればよい。
【００１２】
「所定の時間」は、時刻または負荷を制御するまでの時間のいずれであってもよい。時刻の場合、日付が付加されていてもよい。
【００１３】
計時部は、制御設定データが受信部に受信されると、または、制御設定データが記憶部に記憶されると、所定の時間を計時するように構成されている。
【００１４】
「負荷の作動」に対して、負荷への電源の入り切りの他、位相された電源を供給することを許容する。
【００１５】
本発明によれば、操作部の手動操作に応じて負荷の作動が制御されるので、負荷の動作が即時に制御される。また、ワイヤレス信号にて送信された制御設定データの時間データにおける所定の時間の計時が完了すると、制御部から出力された負荷への制御信号に応じて負荷の作動が制御されるので、負荷の動作が所定の時間に自動的に制御される。
【００１６】
請求項２に記載の壁スイッチの発明は、請求項１記載の壁スイッチにおいて、さらに、外部からの出力要求に応じて、記憶部に記憶されている制御設定データをワイヤレス送信する送信部と；を具備していることを特徴とする。
【００１７】
外部からの出力要求は、例えばワイヤレス送信器から行うことができ、ワイヤレス信号にて受信部に受信させることができるが、これに限らず、他の外部入力部に入力するようにしてもよい。
【００１８】
所定の時間は、時刻または負荷を制御するまでの残余の時間のいずれであってもよい。
【００１９】
本発明によれば、外部からの出力要求があると、壁スイッチの送信部から記憶部に記憶されている制御設定データがワイヤレス送信される。
【００２０】
請求項３に記載の壁スイッチの発明は、請求項１または２記載の壁スイッチにおいて、操作部が手動操作に応じた制御信号を出力したときに、受信部が受信した制御設定データを有効または無効にすることが任意に設定可能であることを特徴とする。
【００２１】
「制御設定データを有効にする」とは、操作部が手動操作に応じた制御信号を出力しても、計時部による所定の時間の計時が継続され、計時部が所定の時間の計時を完了すると、制御部が記憶部に記憶されている制御設定データの制御データに応じて負荷の動作を制御する制御信号（負荷への制御信号）を出力することをいう。ここで、操作部から出力された制御信号による負荷の制御と制御設定データの制御データによる負荷の制御とは同一、不同一を問わない。また、所定の時間の計時が完了する時に、受信部が制御設定データを受信した以降の操作部から出力された制御信号に応じた負荷の制御が継続されているか否かは問わない。
【００２２】
また、「制御設定データを無効にする」とは、制御設定データが受信部に受信される前の状態にすることをいう。したがって、計時部による所定の時間の計時は、キャンセルされ、必要に応じて、記憶部に記憶されている制御設定データは消去される。
【００２３】
そして、操作部が手動操作に応じた制御信号を出力したときに、受信部が受信した制御設定データを有効または無効にすることのいずれかが予め設定される。当該設定は、例えばワイヤレス送信器を用いてワイヤレス信号で行うことができる。そして、当該有効または無効は、記憶部に記憶させることができ、その判定は、例えば制御部で行うことができる。
【００２４】
本発明によれば、外部から送信された制御設定データを受信部が受信した後、操作部が手動操作されると、操作部から出力された制御信号に応じて負荷の作動が制御される。そして、操作部が手動操作に応じた制御信号を出力したときに、受信部が受信した制御設定データを有効にすることが予め設定されていると、計時部による所定の時間の計時の完了後、記憶部に記憶されている制御設定データの制御データに応じて負荷の作動が制御される。一方、操作部が手動操作に応じた制御信号を出力したときに、受信部が受信した制御設定データを無効にすることが予め設定されていると、操作部が手動操作されて操作部から当該操作に応じた制御信号が出力されたときに、計時部による所定の時間の計時がキャンセルされ、記憶部に記憶されている制御設定データの制御データに応じた負荷の作動の制御が行えなくなる。
【００２５】
請求項４に記載の照明制御システムの発明は、請求項１ないし３いずれか一記載の壁スイッチと；壁スイッチの受信部に向けて制御設定データをワイヤレス信号にて送信するワイヤレス送信器と；壁スイッチにより電源が供給される照明負荷と；を具備していることを特徴とする。
【００２６】
本発明によれば、ワイヤレス送信器を用いて、壁スイッチの受信部に制御設定データをワイヤレス信号にて送信することにより、所定の時間に照明負荷への電源供給が制御されて、照明負荷の動作状態を変化させることのできる照明制御システムが提供される。
【発明の効果】
【００２７】
請求項１の発明によれば、外部から制御設定データのワイヤレス信号が送信されて所定の時間の計時が完了すると、負荷の作動が制御されるので、例えば外出時や就寝時などにおいて、ワイヤレス信号を送信するワイヤレス送信器を用いて、負荷の動作状態を所定時間後に自動的に変更させるようにすることができる。
【００２８】
請求項２の発明によれば、壁スイッチの送信部は、外部からの出力要求があると、記憶部に記憶されている制御設定データをワイヤレス送信するように構成されているので、例えばワイヤレス送信器に送信部から制御設定データをワイヤレス送信させて表示させることにより、負荷を制御する制御データや負荷が制御される時刻あるいは負荷が制御されるまでの残余の時間などを確認することができる。
【００２９】
請求項３の発明によれば、操作部が手動操作に応じた制御信号を出力したときに、受信部が受信した制御設定データを有効または無効にすることが任意に設定可能であるので、壁スイッチの設置場所や使用状況などに応じて前記有効または無効を適宜設定することができるとともに、前記有効に設定することにより、所定の時間に負荷の動作状態を強制的に変更させることができる。
【００３０】
請求項４の発明によれば、請求項１ないし３いずれか一記載の壁スイッチを具備するので、例えば外出時や就寝時などにおいて、ワイヤレス送信器の操作により、所定の時間に照明負荷の動作状態を自動的に変化させることのできる照明制御システムを提供することができる。
【発明を実施するための最良の形態】
【００３１】
以下、本発明の一実施の形態について、図面を参照して説明する。まず、本発明の第１の実施形態について説明する。
【００３２】
図１〜図５は、本発明の第１の実施形態を示し、図１は壁スイッチのブロック図、図２は壁スイッチの分解斜視図、図３はワイヤレス送信器の概略斜視図、図４は壁スイッチの動作のフロー図、図５は壁スイッチの動作の別のフロー図である。
【００３３】
図１において、壁スイッチ１は、操作部２、受信部３、記憶部４、計時部５、制御部６、電源供給回路部７、送信部８、不揮発性の記憶部９および電源回路部１０を有して構成されている。そして、入力端子１１ａ，１１ｂが交流電源Ｖｓに接続され、入力端子１１ｂと出力端子１２ａ，１２ｂのうちの一方の出力端子１２ａが負荷１３に接続されている。
【００３４】
操作部２は、壁スイッチ１の外表面に露出している操作子１４を含んで構成されている。操作子１４は、例えば押圧、復帰される平板で形成され、手動操作される。そして、操作部２は、操作子１４の手動操作に応じた制御信号、例えば負荷１３をオンオフさせるオンオフ信号を出力するように形成されている。
【００３５】
受信部３は、壁スイッチ１の外表面に露出している受光素子１５に接続され、外部のワイヤレス送信器から送信されたワイヤレス信号を受信するように構成されている。ワイヤレス信号は、例えば制御設定データあるいは出力要求のデータなどを含んでいる。制御設定データは、負荷１３を制御する制御データおよびこの時間データに応じた制御を行うタイミングを決定する時間データを有して形成されている。時間データは、負荷１３が制御される所定の時間を有している。ここで、所定の時間は、負荷１３が制御される時刻であってもよく、あるいはワイヤレス送信器からワイヤレス信号が出力された時点から負荷１３が制御される時刻までの時間であってもよい。また、出力要求のデータは、壁スイッチ１から制御設定データの制御データおよび時間データなどを出力させるものである。
【００３６】
記憶部４は、ＲＡＭを具備し、受信部３が制御設定データを受信した時に、制御部６の動作により制御設定データの制御データおよび時間データを記憶するように形成されている。そして、記憶部４は、停電等により入力端子１１ａ，１１ｂに交流電源Ｖｓの交流電圧が印加されなくなると、制御設定データが消去する揮発性に形成されている。
【００３７】
計時部５は、受信部３が制御設定データを受信した時に、制御部６の動作により所定の時間を計時するように構成されている。そして、所定の時間の計時を完了したときに、当該完了を制御部６に通知するように形成されている。
【００３８】
制御部６は、ＣＰＵ（中央処理装置）を具備し、各構成部に接続され、壁スイッチ１全体の動作を統括管理するものである。そして、操作部２から操作子１４の手動操作に応じた制御信号が出力されると、負荷１３への電源供給を制御する制御信号（負荷１３への制御信号）を電源供給回路部７に出力するように構成されている。すなわち、制御部６は、操作部２から負荷１３をオンさせる制御信号が出力されると、負荷１３に交流電源Ｖｓが供給されるように制御し、操作部２から負荷１３をオフさせる制御信号が出力されると、負荷１３に供給されている交流電源Ｖｓを遮断するように制御する。
【００３９】
また、制御部６は、計時部５から所定の時間の計時の完了が通知されると、記憶部４から制御設定データの制御データを読み出し、当該制御データに応じて負荷１３への電源供給を制御する制御信号（負荷１３への制御信号）を電源供給回路部７に出力できるように構成されている。すなわち、記憶部４に記憶されている制御設定データの制御データが負荷１３をオンさせる制御データであると、負荷１３に交流電源Ｖｓが供給されるように制御し、制御設定データの制御データが負荷１３をオフさせる制御データであると、負荷１３に供給される交流電源Ｖｓを遮断するように制御する。
【００４０】
そして、制御部６は、計時部５による所定の時間の計時の完了に応じて、電源供給回路部７に負荷１３への制御信号を出力すると、記憶部４に記憶されている制御設定データを消去させるように形成されている。
【００４１】
電源供給回路部７は、例えばリレー（図示しない。）を具備し、入力端子１１ａおよび出力端子１２ａがリレーにより接続されるように構成している。そして、制御部６から出力された制御信号に応じてリレーコイルが付勢され、このリレーコイルの付勢により、リレーが閉成して入力端子１１ａおよび出力端子１２ａが電気的に接続され、負荷１３に交流電源Ｖｓを供給するように構成されている。そして、制御部６から制御信号が出力されなくなると、リレーコイルが消勢され、リレーが開成して負荷１３への交流電源Ｖｓの供給が停止される。
【００４２】
送信部８は、壁スイッチ１の外表面に露出している送信用ＬＥＤ１６に接続されている。そして、例えばワイヤレス送信器（外部）から出力された出力要求のデータがワイヤレス信号にて受信部３に受信されると、制御部６の制御により、記憶部４に記憶されている制御設定データの制御データおよび時間データをワイヤレス送信器（外部）にワイヤレス送信するように構成されている。
【００４３】
不揮発性の記憶部９は、制御部６の動作を実行させるプログラムを格納しているＲＯＭを具備している。そして、操作部２が手動操作に応じた制御信号を出力したときに、受信部３が受信し記憶部４に記憶された制御設定データを有効または無効にすることを設定データとして記憶している。この設定データは、ワイヤレス送信器からワイヤレス信号にて送信することができる。制御部６は、有効または無効の設定データが受信部３に受信されると、当該設定データを従前の設定データに上書きして記憶部９に記憶させる。すなわち、有効または無効の設定データは、ワイヤレス送信器から任意に設定可能となっている。
【００４４】
設定データが有効に設定されると、操作部２から手動操作に応じた制御信号が出力され、当該制御信号に応じて負荷１３への電源供給が制御されても、計時部２による所定の時間の計時が継続され、当該計時が完了すると、記憶部４に記憶されている制御設定データの制御データに応じて負荷１３への電源供給が制御される。すなわち、操作部２から出力された手動操作に応じた制御信号よりもワイヤレス送信器から送信された制御設定データの制御データを優先させる。
【００４５】
また、設定データが無効に設定されると、操作部２から手動操作に応じた制御信号が出力され、当該制御信号に応じて負荷１３への電源供給が制御されると、計時部２による所定の時間の計時がキャンセルされ、以後、操作部２の手動操作の前に送信したワイヤレス送信器からの制御設定データの制御データに応じて負荷１３への電源供給が制御されなくなる。すなわち、操作部２から出力された手動操作に応じた制御信号をワイヤレス送信器から送信された制御設定データの制御データよりも優先させる。
【００４６】
電源回路部１０は、入力端子１１ａ，１１ｂの両端に接続され、交流電源Ｖｓが供給されている。そして、交流電圧を所定の直流電圧に変換して、制御部６などの各構成部の動作電源としている。
【００４７】
そして、上述した各構成部は、図２に示すように、上方に向けて開放した箱体１７の内部に収納されている。箱体１７は、蓋体１８にて閉塞されている。蓋体１８の表面には、中央部に操作子１４が配設され、上部に送信用ＬＥＤ１６、下部に受光素子１５がそれぞれ面一に取り付けられている。また、下部にＬＥＤからなるオンオフ表示灯１９，２０が取り付けられている。オンオフ表示灯１９，２０は、制御部６の制御により点消灯される。すなわち、オン表示灯１９は、負荷１３に交流電源Ｖｓが供給されているときに赤色で点灯し、オフ表示灯２０は、負荷１３への交流電源Ｖｓが遮断されているときに緑色で点灯する。
【００４８】
壁スイッチ１は、一般的な連用サポート２１の図示しない取付部に挿入されて取り付けられている。連用サポート２１は、長手方向の両端にフランジ２２，２２が取り付けられている。そして、フランジ２２には、壁などに取り付けるための取付孔２３が形成されているとともに、プレート２４の取付ねじ２５などが螺着されるねじ孔２６などが形成されている。
【００４９】
そして、プレート２４は平板状で、壁スイッチ１などが露出される窓孔２７が形成され、さらに、この窓孔２７の周囲の部分には周囲より一段低く形成された取付段部２８が形成されている。取付段部２８には、中央部に化粧窓孔２９が形成された化粧プレート３０が取り付けられている。
【００５０】
図１において、負荷１３は、例えば照明器具に配設されている蛍光ランプおよびこの蛍光ランプを付勢する点灯装置である。そして、点灯装置の入力端子は、壁スイッチ１の出力端子１２ａおよび入力端子１１ｂに接続されている。点灯装置は、電源供給回路部７のリレーが閉成することにより、交流電源Ｖｓが供給され、蛍光ランプを点灯させる。なお、壁スイッチ１において、入力端子１１ｂおよび出力端子１２ｂは直接的に電気接続しているので、出力端子１２ａ，１２ｂ間に負荷１３を接続してもよい。また、受信部３が受信した制御設定データは、不揮発性の記憶部９に記憶させるようにしてもよい。
【００５１】
そして、ワイヤレス送信器３１は、図３に示すように、携帯可能に形成され、前端部３１ａにワイヤレス信号を送信する送信部（図示しない。）およびワイヤレス信号を受信する受信部（図示しない。）が設けられている。また、正面部３１ｂに表示部３２および操作部３３が設けられている。
【００５２】
操作部３３には、表示部３２に数字や文字などを表示させる操作ボタン３４，…，３４、表示される数字や文字などをスクロールさせるアップスイッチ３５およびダウンスイッチ３６、制御設定データなどを送信させる送信ボタン３７および出力要求のデータなどを送信させる送信ボタン３８などが設けられている。送信ボタン３７は、壁スイッチ１を制御する制御データをワイヤレス送信するときに操作され、送信ボタン３８は、壁スイッチ１から各種データを受信するときに操作される。
【００５３】
表示部３２には、負荷１３を制御する制御データおよび時間データとしての所定の時間などの制御設定データを表示することができ、この表示後、送信ボタン３７を操作することにより、送信部から制御設定データがワイヤレス送信される。また、壁スイッチ１において、操作部２が手動操作に応じた制御信号を出力したときに、受信部３が受信し記憶部４に記憶された制御設定データを有効または無効にする設定データを表示することができ、この表示後に送信ボタン３７を操作することにより、送信部から有効または無効の設定データがワイヤレス送信される。また、壁スイッチ１の送信部８からワイヤレス送信された制御設定データの制御データおよび時間データの所定の時間などを表示することができる。
【００５４】
次に、本実施の形態の壁スイッチ１の動作について述べる。
【００５５】
壁スイッチ１の操作子１４をオン操作すると、操作部２からオン操作の制御信号が制御部６に出力される。制御部６は、オン操作の制御信号に応じて負荷１３に交流電源Ｖｓを供給させる制御信号（オン信号）を電源供給回路部７に出力する。電源供給回路部７は、当該オン信号により、リレーを閉成する。これにより、壁スイッチ１の入力端子１１ａおよび出力端子１２ａが電気接続され、負荷１３である点灯装置に交流電源Ｖｓの交流電圧が印加される。そして、点灯装置は、蛍光ランプを点灯させる。
【００５６】
また、壁スイッチ１の操作子１４をオフ操作すると、操作部２からオフ操作の制御信号が制御部６に出力される。制御部６は、オフ操作の制御信号に応じて負荷１３への交流電源Ｖｓを遮断させる制御信号（オフ信号）を電源供給回路部７に出力する。電源供給回路部７は、当該オフ信号により、リレーを開成する。これにより、壁スイッチ１の入力端子１１ａおよび出力端子１２ａが接続されなくなり、負荷１３である点灯装置に交流電源Ｖｓの交流電圧が印加されなくなる。そして、点灯装置は、蛍光ランプを消灯させる。このように、操作子１４をオンオフ操作することにより、蛍光ランプが即時に点消灯される。
【００５７】
そして、壁スイッチ１の操作子１４がオン操作され、蛍光ランプが点灯しているときに、所定の時間に蛍光ランプを自動的に消灯させたいときは、図４に示すように、ワイヤレス送信器３１において、制御設定データの制御データとしての消灯および時間データとしての消灯制御する時刻を設定入力する（ステップＳ１）。そして、送信ボタン３７を操作して制御設定データをワイヤレス信号にて送信する（ステップＳ２）。
【００５８】
ワイヤレス送信器３１からワイヤレス信号にて送信された制御設定データは、壁スイッチ１の受信部３で受信され（ステップＳ３）、記憶部４に記憶される（ステップＳ４）。
【００５９】
そして、計時部５は、時間データの所定の時間を計時し、蛍光ランプを消灯する時刻になると制御部６に当該計時の完了を通知する（ステップＳ６）。制御部６は、記憶部４に記憶されている制御設定データの制御データを読み出し、当該制御データの消灯に応じて、蛍光ランプを消灯させる制御信号（負荷１３への制御信号）を電源供給回路部７に送出する（ステップＳ７）。そして、電源供給回路部７がリレーを消勢することにより、蛍光ランプは消灯される。
【００６０】
そして、ワイヤレス送信器３１において、送信した制御設定データの内容を確認するときは、送信ボタン３８を操作して出力要求のデータを送信する（ステップＳ８）。壁スイッチ１において、制御部６は、記憶部４に記憶されている制御設定データの制御データ（消灯）および時間データの所定の時間（時刻）を読み出し、送信部８からワイヤレス送信させる（ステップＳ５）。ワイヤレス送信された制御設定データは、ワイヤレス送信器３１の受信部に受信され、ワイヤレス送信器３１の表示部３２に表示される（ステップＳ９）。これにより、ワイヤレス送信器３１から送信した制御設定データの内容が確認される。
【００６１】
なお、図５に示すように、ワイヤレス送信器３１は、所定の時間として現時刻から消灯制御の時刻までの時間を設定入力し（ステップＳ１０）、壁スイッチ１の制御部６は、蛍光ランプを消灯制御するまでの残余の時間を演算して、送信部８から出力するようにしてもよい（ステップＳ１２）。これにより、ワイヤレス送信器３１において、蛍光ランプが消灯されるまでの時間を認識することができる。
【００６２】
そして、壁スイッチ１の操作子１４がオフ操作され、蛍光ランプが消灯しているときに、所定の時間（時刻）に蛍光ランプを自動的に点灯させたいときも、上記と同様に行うことができる。
【００６３】
上述したように、例えば外出時や就寝時などにおいて、ワイヤレス操作器３１の操作により、蛍光ランプの点灯状態を所定の時間（時刻）に自動的に変更させることができるので、例えば蛍光ランプが不所望に点灯し続けることがなく、省電力を図ることができる。また、ワイヤレス送信器３１の表示部３２において、ワイヤレス送信器３１から送信された蛍光ランプを制御する制御データや蛍光ランプが制御される時刻あるいは蛍光ランプが制御されるまでの残余の時間などを確認することができる。
【００６４】
そして、壁スイッチ１の操作部２が手動操作に応じた制御信号を出力したときに、受信部３が受信した制御設定データを有効にすることが設定されていると、蛍光ランプが制御される時刻までに、壁スイッチ１の操作子１４がオフオン操作（オンオフ操作）されても、蛍光ランプは、当該時刻に自動的に消灯（点灯）される。
【００６５】
また、操作部２が手動操作に応じた制御信号を出力したときに、受信部３が受信した制御設定データを無効にすることが設定されていると、蛍光ランプが制御される時刻までに、壁スイッチ１の操作子１４がオン操作またはオフ操作されると、蛍光ランプは、以後、自動的に制御されなくなる。例えば、壁スイッチ１の操作子１４がオフ操作され、蛍光ランプが消灯しているときに、所定の時間に蛍光ランプを自動的に点灯させるつもりであったが、これを解除するときは、操作子１４をオンオフ操作することにより、制御設定データは無効とされ、蛍光ランプは点灯されなくなる。
【００６６】
操作部２が手動操作に応じた制御信号を出力したときに、受信部３が受信した制御設定データを有効または無効に設定することにより、壁スイッチ１の設置場所や使用状況などに応じて蛍光ランプを制御することができる。
【００６７】
次に、本発明の第２の実施形態について述べる。
【００６８】
図６は、本発明の第２の実施形態を示す照明制御システムの概略構成図である。なお、図１〜図３と同一部分には、同一符号を付して説明は省略する。
【００６９】
図６に示す照明制御システム３９は、図２に示す壁スイッチ１、図３に示すワイヤレス送信器３１および照明負荷としての蛍光ランプ４０を有して構成されている。
【００７０】
ワイヤレス送信器３１は、壁スイッチ１の受信部３に向けて蛍光ランプ４０を制御する制御データおよび蛍光ランプ４０を制御する時刻（時間データ）を有する制御設定データをワイヤレス信号にて送信する。蛍光ランプ４０は、天井面４１に直付けされた照明器具４２に配設されている。
【００７１】
例えば外出時や就寝時などにおいて、ワイヤレス送信器３１から制御設定データをワイヤレス送信することにより、所定の時間に、自動的に蛍光ランプ４０の点灯状態を変化させることのできる照明制御システム３９が提供される。
【図面の簡単な説明】
【００７２】
【図１】本発明の第１の実施形態を示す壁スイッチのブロック図。
【図２】同じく、壁スイッチの分解斜視図。
【図３】同じく、ワイヤレス送信器の概略斜視図。
【図４】同じく、壁スイッチの動作のフロー図。
【図５】同じく、壁スイッチの動作の別のフロー図。
【図６】本発明の第２の実施形態を示す照明制御システムの概略構成図。
【符号の説明】
【００７３】
１…壁スイッチ
２…操作部
３…受信部
４…記憶部
５…計時部
６…制御部
７…電源供給回路部
８…送信部
３１…ワイヤレス送信器
３９…照明制御システム
４０…照明負荷としての蛍光ランプ
【図１】
2006066239.tif 000003
【図２】
2006066239.tif 000004
【図３】
2006066239.tif 000005
【図４】
2006066239.tif 000006
【図５】
2006066239.tif 000007
【図６】
2006066239.tif 000008